(57)【要約】【課題】押出機の押出出口付近に設置することで，押出安定性に優れるとともに押出形材の断面矯正精度が高い矯正装置の提供を目的とする。【解決手段】押出形材（１）を押出機の押出出口付近にて断面矯正するための矯正装置（１０）であって，押出形材（１）は押出方向に沿った開口部を有し，前記矯正装置（１０）は前記開口部の間口寸法を調整する間口矯正ローラー（１９）と，当該間口矯正ローラー（１９）と対向して押出形材（１）を支持するサイドローラー（１２）とを備えたことを特徴とする。
2014073061.tif 000002
【特許請求の範囲】
【請求項１】
押出形材を押出機の押出出口付近にて断面矯正するための矯正装置であって、
押出形材は押出方向に沿った開口部を有し、前記矯正装置は前記開口部の間口寸法を調整する間口矯正ローラーと、当該間口矯正ローラーと対向して押出形材を支持するサイドローラーとを備えたことを特徴とする押出形材断面矯正装置。
【請求項２】
前記押出形材は上部に押出方向に沿った開口部を有し、
前記矯正装置は押出形材の前記開口部から内部に挿入配置した内側底面矯正ローラーと、当該内側底面矯正ローラーと対向して前記押出形材の底面を支える底面ローラーとを有することを特徴とする請求項１記載の押出形材断面矯正装置。
【発明の詳細な説明】
【技術分野】
【０００１】
本発明は押出形材の断面形状の矯正に用いる矯正装置に関する。
【背景技術】
【０００２】
アルミニウム及びその合金，マグネシウム及びその合金等の軽金属は、押出機により押出加工された押出形材として生産されているものがある。
押出加工は円柱状のビレットを予熱し、コンテナに挿入後に押出ダイスを前方にして後方からステムにて押し出しする工法であり、異形断面形状の押出形材の場合に押出ダイスの成形孔を通過する塑性変形抵抗が均一ではなく、ねらいどおりの断面形状を得るのが難しい場合がある。
特許文献１はダイス成形孔の通過後に変形を起こした形材の整形を行う整形部材をバッカーのダイス側の端面に凹部を設けて収容した技術を開示する。
しかし、ダイスの成形孔を通過した直後は、押出形材が安定していないので、押出し初めに整形部材が目詰まりしたり、バリが発生しやすい問題がある。
また、押出速度が安定しない問題もある。【０００３】
【特許文献１】日本国特開平５−２８５５３１号公報
【発明の開示】
【発明が解決しようとする課題】
【０００４】
本発明は押出機の押出出口付近に設置することで、押出安定性に優れるとともに押出形材の断面矯正精度が高い矯正装置の提供を目的とする。
【課題を解決するための手段】
【０００５】
本発明に係る押出形材断面矯正装置は、押出形材を押出機の押出出口付近にて断面矯正するための矯正装置であって、押出形材は押出方向に沿った開口部を有し、前記矯正装置は前記開口部の間口寸法を調整する間口矯正ローラーと、当該間口矯正ローラーと対向して押出形材を支持するサイドローラーとを備えたことを特徴とする。
本発明は形材の長手方向に沿って有する開口部の間口寸法をローラーで矯正するものであり、開口部の位置及び数に制限はない。【０００６】
本発明において、押出形材は上部に押出方向に沿った開口部を有し、前記矯正装置は押出形材の前記開口部から内部に挿入配置した内側底面矯正ローラーと、当該内側底面矯正ローラーと対向して前記押出形材の底面を支える底面ローラーとを有するようにしてもよい。
このようにすると、形材の開口部からローラーを挿入し、形材の内側形状を矯正できる。
【発明の効果】
【０００７】
従来のように押出ダイスの成形孔直後では押出形材が高温過ぎて不安定であるが、押出機の押出出口付近では押出形材がある程度安定していて、しかも４００〜５００℃程度に高温であるので、ローラー手段にて断面矯正が可能である。
これにより、ビレットの押出初めから終わりまでの全長にわたって断面形状が安定する。
従来は押出形材を定尺に切断後の完全に冷却されたものをロール矯正している場合がある。
しかし、このように完全に冷却された状態では、大きな力を有する大型の矯正装置になる問題があるだけでなく、例えばＪＩＳ７０００系アルミニウム合金のような高強度合金からなる押出形材を冷間でロール矯正するのは大変であった。
これに対して本発明によれば、小さな力で大きく断面形状の調整ができる。
【図面の簡単な説明】
【０００８】
【図１】押出形材の断面矯正装置を押出機の押出出口付近に設けた構造例を示す。
【図２】上部プレート側の部分を省略した状態の矯正装置を示す。
【図３】（ａ）は図１の要部拡大図、（ｂ）は図２の要部拡大図を示す。
【符号の説明】
【０００９】
１        形材
１０      押出形材の断面矯正装置
１１      底面ローラー
１２      上部Ｒサイドローラー
１３      上部Ｌサイドローラー
１４      下部Ｒサイドローラー
１５      下部Ｌサイドローラー
１６      押えＲローラー
１７      押えＬローラー
１８      内側底面矯正ローラー
１９      間口矯正ローラー
２１      ベースプレート
２２      ベースクランプ
２３      クランパー
２４      上部クランプ
２５      クランパー
２６      サブクランプ
３０      押出出口
【発明を実施するための最良の形態】
【００１０】
押出形材の例としてアルミニウム合金を用いて押出成形した形材１の例で以下説明するが、本発明はこれに限定されない。
形材１は車両の前後に取り付けられるバンパーのリインホースメント用の材料であり、図３に示すように押出成形時に下側になる底面の図３では、左右底面端部にウェブ１ｅを有し、このウェブ部１ｅを残すように両側から立上げ片１ｂ，１ｃを有するとともに、この立上げ片１ｂ，１ｃの上端側を内側に向けて対向するように折り曲げることで押出方向に沿った開口部１ａを有する例になっている。
形材１の底面は中央部が内側方向に向けて帯状の突部を形成した例になっている。【００１１】
押出形材の断面矯正装置１０は、形材１を下から支える底面ローラー１１と両端のウェブ部１ｅを上から押える押えＲローラー１６と押えＬローラー１７を有する。
本明細書では、押出出口に向かってＲ，Ｌを表現する。
この状態で図１，図３（ａ）に示すように形材１の内側の突部１ｄを上から内側底面矯正ローラー１８で押圧すると、形材１の底面の平面度が矯正される。
底面矯正ローラー１８は図示を省略したが、上部プレート２３側に回転可能に支持させてある。【００１２】
次に形材１の開口部１ａの開口寸法を矯正するローラーの構成例を説明する。
形材１の左右方向を位置決めするのに図２に示すように、形材１のウェブ１ｅの両側端部を下部Ｒサイドローラー１４と、下部Ｌサイドローラー１５で支持する。
本実施例では、形材１の左側の立上げ片１ｂを左側上部から支持する上部Ｌサイドローラ１３が下部Ｌサイドローラー１５と同軸になっている。
これに対して右側の上部Ｒサイドローラー１２は、立上げ片１ｃを右側の上部から支持しつつ、間口矯正ローラー１９を開口部１ａの左側に接するローラーと右側に接するローラーに分けて、左右方向に移動制御されて有する。
これにより、開口部１ａの開口寸法が矯正される。【００１３】
形材１を押出機の押出出口からプラテンテーブ上に少し押出してから矯正装置１０をセットする必要があるから、ベースプレート２１に底面ローラー１１等を回転支持させるとともに下部Ｌサイドローラー１５を前進及び後退させるのにクランプ２２及びクランプ操作するクランパー２３を設けてある。
また、押えＲ，Ｌローラー１６，１７及び上部Ｒサイドローラー１２と、間口矯正ローラー１９，内側底面矯正ローラー１８を支持させた上部プレート２３を上部クランプ２４，サブクランプ２６及びクランパー２５に着脱自在になっている。
形材１が底面ローラー１１の上に位置する状態で上部プレート２３をベースプレート２１の上方にセットし、サブクランプ２６と上部クランプ２４にて各ローラーを形材１にセットする。
この状態で形材１を押出すと、開口部１ａの間口寸法及び底面の平面度が矯正されながら押出加工され、全長にわたって断面精度が高い押出形材を得ることができる。
また、矯正装置がコンパクトになるので、押出機の押出出口と押出形材の切断機の間に設置でき、従来の押出生産性を維持しつつ、形材断面を矯正できる。
【産業上の利用可能性】
【００１４】
本発明に係る押出形材の断面矯正装置は、直接押出機，間接押出機等の形材押出出口に設置することで、軽金属の押出形材の断面形状の矯正が必要な技術分野にて利用できる。
【図１】
2014073061.tif 000003
【図２】
2014073061.tif 000004
【図３】
2014073061.tif 000005
【手続補正書】
【提出日】平成27年9月15日(2015.9.15)
【手続補正１】
【補正対象書類名】特許請求の範囲
【補正対象項目名】全文
【補正方法】変更
【補正の内容】
【特許請求の範囲】
【請求項１】
押出形材を押出機の押出出口付近にて断面矯正するための矯正装置であって、
前記押出形材は、押出状態で底面部と当該底面部の両側から立上げ片を有し、かつ両側の立上げ片の上端側をそれぞれ内側に向けて折り曲げたことで押出方向に沿った開口部を有し、
前記矯正装置は前記押出形材の立上げ片の外側を上下２ヶ所で支持する上部サイドローラーと下部サイドローラーを有するとともに、前記押出形材の底面部を支える底面ローラー及び前記開口部の間口寸法を調整する間口矯正ローラーを有することを特徴とする押出形材断面矯正装置。
【請求項２】
さらに、前記押出形材の開口部から内部に挿入配置した内側底面矯正ローラーを有することを特徴とする請求項１記載の押出形材断面矯正装置。
【国際調査報告】
2014073061.tif 000006
2014073061.tif 000007
2014073061.tif 000008